(57)【要約】      （修正有）【課題】光ディスク等の読出し速度の遅い記憶媒体とフラッシュメモリ等の読出し速度の高い記憶部とを組み合わせたレコーダ装置であって、フラッシュメモリからのストリームと光ディスクからのストリームとをスムースに切り替えることが出来るレコーダ装置を提供する。【解決手段】レコーダ装置１００は、ディスクドライブ部３３０とフラッシュメモリ等よりなる記憶部３４０を有するドライブ部３００と、ＣＭ検出部２０２を有するバックエンド部２００とを備える。記憶部３４０に記録されたコンテンツ中のＣＭ期間を検出し、該ＣＭ期間中に記憶部３４０からのストリームをディスクドライブ部３３０からのストリームに切り替える。【選択図】図１
2010238337.tif 000002
【特許請求の範囲】
【請求項１】
ドライブ部と、前記ドライブ部よりも高速な読出し及び／又は書込みが可能な記憶部とを備え、
前記記憶部に、前記ドライブ部に装填される着脱可能な記録媒体を管理するための管理情報を記録する領域と、前記記録媒体に記録するコンテンツと同一のコンテンツの少なくとも一部を記録する領域とを設け、記録されたコンテンツを再生する際に、先ず前記記憶部からのストリームを再生し、次いで前記ドライブ部からのストリームに切り替えて再生することを可能にしたレコーダ装置であって、
前記記憶部からのストリームから前記ドライブ部からのストリームへの切り替えは、コンテンツ中に含まれたＣＭ期間中に行うことを特徴としたレコーダ装置。
【請求項２】
前記記憶部からのストリームから前記ドライブ部からのストリームへの切り替えは、コンテンツ中のＣＭを再生している際の、使用者によるスキップ等の操作に基づいて行うことを特徴とする請求項１に記載のレコーダ装置。
【請求項３】
ＣＭ検出部を設けて、コンテンツ中のＣＭが記録された箇所を検出可能とし、
前記記憶部に、検出されたＣＭに関する情報を登録しておき、前記記憶部からのストリームから前記ドライブ部からのストリームへの切り替えは、コンテンツ中の最後のＣＭ期間中に行うことを特徴とする請求項１に記載のレコーダ装置。
【請求項４】
ドライブ部と、前記ドライブ部よりも高速な読出し及び／又は書込みが可能な記憶部とを備え、前記記憶部に、前記ドライブ部に装填される記録媒体を管理するための管理情報を記録する領域と、前記記録媒体に記録するコンテンツと同一のコンテンツの少なくとも一部を記録する領域とを設けたレコーダ装置において、最初に前記記憶部からのストリームを再生し、次いで前記ドライブ部からのストリームを再生するストリームの再生方法であって、
前記記憶部からのストリームから前記ドライブ部からのストリームへの切り替えは、前記ストリームのＣＭ期間中に行うことを特徴とする前記レコーダ装置に置けるストリームの再生方法。
【請求項５】
請求項１から３のいずれか一項に記載のレコーダ装置の各部としてコンピュータを機能させるためのプログラム。
【請求項６】
請求項５に記載のプログラムを記憶したコンピュータ読み取り可能な記録媒体。
【発明の詳細な説明】
【技術分野】
【０００１】
本発明は、ＢＤ（ブルーレイディスク）等のディスクを駆動するディスクドライブ部とフラッシュメモリ等の書き換え可能で不揮発性のメモリより成る記憶部を組み合わせたレコーダ装置に関する。
【背景技術】
【０００２】
ＢＤ（ブルーレイディスク）レコーダ等光ディスクを用いた録画再生装置やＢＤレコーダ内蔵テレビが普及しているが、ＢＤ（ブルーレイディスク）への記録は、記録のための準備に時間を要すること等のため、必ずしも使い勝手の良いものではなく、また、ＢＤレコーダ等の操作自体も簡明であるとは言い難いものであった。
【０００３】
現在普及しているＢＤレコーダには、ＢＤドライブのみを搭載したものの外、ＢＤドライブの外に、ハードディスクドライブ（ＨＤＤ）を搭載し、動作の速いＨＤＤを使った録画・再生を使用シーンのメインとしたものがある。上記のＨＤＤ搭載型のＢＤレコーダでは、一般的に操作のレスポンスに対してストレスを感じることは少なくなっている。
【０００４】
然しながら、ＨＤＤに記録したコンテンツを他の機器で視聴しようとすると、その度にＨＤＤに録画されたコンテンツをＢＤにダビングすることが必要となり、利便性に優れているとは言い難いものであった。また、ＨＤＤを搭載した録画再生装置では、年配の使用者を中心に、ＨＤＤへの記録という概念が解りにくく、録画のための操作方法、予約録画のための操作方法等、録画再生装置としての操作自体が難しい等の指摘があった。
【０００５】
一方、ＢＤドライブのみで構成されたタイプでは、ディスク未挿入やディスク残量不足による予約録画失敗、動作レスポンスの遅さによる全体的な操作に対してストレスを感ずるという課題を有している。
【０００６】
特許文献１には、光ディスク等の第１の記録媒体と、フラッシュメモリ等の第１の記録媒体よりも読み出し速度の速い第２の記録媒体とを組み合わせたデジタル情報記録再生装置が記載されている。図２９は、上記のデジタル情報記録再生装置の概要を示す図である。図２９において、５８は、フラッシュメモリであり、ＣＤ−Ｒドライブ５７と組み合わせて用いられるものである。
【０００７】
以下に、簡単に、このデジタル情報記録再生装置の動作を説明する。先ず、オーディオＡＤＣ（アナログ・デジタル・コンバータ）５２によってデジタルに変換されたオーディオ入力５１と、又はＤＶＤ−ＲＡＭ５３によって読み取られたディスク５４からのデータとをスイッチ５５によって切り替えて、記録すべきデータを選択する。次いで、選択した出力データを、ＣＤ−Ｒドライブ５７によってディスク５９に記録すると同時に、フラッシュメモリ５８にも記録する。
【０００８】
このディスク５９及びフラッシュメモリ５８に記録されたデータを再生する場合、例えば、データを直ちに読み出したい場合には、スイッチ６０によって、フラッシュメモリからのデータを選択して読み出す。そして、ＣＤーＲドライブ５７でのディスク５９の読出しが可能になった時点で、スイッチ６０によってＣＤ−Ｒ側の出力を選択して読み出す。
【０００９】
この特許文献１に記載の技術によれば、光ディスクドライブ等の機械的な動作の遅さを補完し、迅速に情報を再生したい場合や、光ディスクドライブ等が待機中や記録中等であって情報が読み出せない場合に、これに替わってフラッシュメモリ等の読出し処理速度の速い方から読み出すことで、使い勝手を向上させることが出来る。
【先行技術文献】
【特許文献】
【００１０】
【特許文献１】ＷＯ  ０２／１１１３８  Ａ１（国際公開日２００２年２月７日）
【発明の概要】
【発明が解決しようとする課題】
【００１１】
上述の特許文献１に記載のデジタル情報記録再生装置によれば、光ディスク等の第１の記録媒体に対して特定のコンテンツを記録する際に、フラッシュメモリ等より成る第２の記録媒体にも同時に同じコンテンツを記録しておくことにより、例えば、前記コンテンツを再生する際には、先ず、第２の記録媒体からコンテンツを読み出して再生を行い、その間に第１の記録媒体（光ディスク）からの読出し体制を整え、読出し体制が整った後に第１の記録媒体（光ディスク）からの出力に切り替えることで、第１の記録媒体（光ディスク）の読出し開始速度が遅いという欠点を補うことができる。
【００１２】
然しながら、上記特許文献１に記載のデジタル情報記録再生装置では、例えば、複数枚の光ディスクを扱う場合に関してどのように操作するか何も記載が無く、また、例えば、フラッシュメモリ等より成る第２の記録媒体に記録されていないコンテンツを有する光ディスクを再生する場合等では、依然として、迅速な再生が出来ないという課題を有している。
【００１３】
更に、光ディスクに記録されたコンテンツ（テレビ番組等）を再生する場合、光ディスクからの再生の準備が整うまで、先ず、フラッシュメモリ等の読出し処理速度の速いメモリから読み出し、その後光ディスクから読出されたコンテンツ側に切り替えることとしているが、光ディスク側から読み出されたコンテンツ側に切り替える際に、メモリから読み出したストリームと、ディスクから読み出したストリームを完全に連続して取り出すことは困難なため、デコード時に映像の乱れが生ずる場合もあり、スムーズに継続した再生ができないという課題を有している。
【００１４】
本発明は、上述の従来技術の課題に鑑みてなされたものであり、書込み速度及び読出し速度が比較的に遅いＢＤディスク等のディスクドライブ部と、高速な読出し／書込みが可能なフラッシュメモリ等よりなる記憶部とを組み合わせ、複数枚のディスクを容易に使えるようにしたレコーダ装置であって、フラッシュメモリ等の記憶部からの再生信号とディスクドライブ部からの再生信号への切り替えをシーンの切れ目を意識させることなくスムースに行うことができるレコーダ装置を提供することを目的とする。
【課題を解決するための手段】
【００１５】
上述の課題を解決するために、本発明に係るレコーダ装置では、
ディスクドライブ部と、前記ディスクドライブ部よりも高速な読出し及び／又は書込みが可能な記憶部とを備え、前記記憶部に、前記ディスクドライブ部に装填されるディスクを管理するための管理情報を記録する領域と、前記ディスクに記録するコンテンツと同一のコンテンツの少なくとも一部を記録する領域とを設け、記録されたコンテンツを再生する際に、先ず前記記憶部からのストリームを再生し、次いでディスクドライブ部からのストリームに切り替えて再生することを可能にしたレコーダ装置であって、
前記記憶部からのストリームから前記ディスクドライブ部からのストリームへの切り替えは、コンテンツ中に含まれたＣＭ期間中に行うことを特徴としている。
【００１６】
これによれば、使用者からのコンテンツ再生指示に対して、迅速なコンテンツの再生が可能であり、且つ、フラッシュメモリ等の記憶部からの再生信号をディスクドライブ部からの再生信号に切り替えるに際して、シーンの切れ目を意識させることなくスムースに切り替えることができるレコーダ装置を提供することができる。
【００１７】
上述の課題を解決するため、本発明に係る他のレコーダ装置では、前記記憶部からのストリームから前記ディスクドライブ部からのストリームへの切り替えは、コンテンツ中のＣＭを再生している際の、使用者によるスキップ等の操作に基づいて行うことを特徴としている。
【００１８】
これによれば、ＣＭ期間中に、使用者の意思に従って、フラッシュメモリ等の記憶部からの再生信号をディスクドライブ部からの再生信号に切り替えることができるレコーダ装置を提供することが出来る。
【００１９】
上述の課題を解決するため、本発明に係る更に他のレコーダ装置では、更に、ＣＭ検出部を設けて、前記コンテンツ中のＣＭが記録された箇所を検出可能とし、前記記憶部に、前記検出されたＣＭに関する情報を登録しておき、前記記憶部からのストリームから前記ディスクドライブ部からのストリームへの切り替えは、コンテンツ中の最後のＣＭ期間中に行うことを特徴としている。
【００２０】
これによれば、使用者がフラッシュメモリ等の記憶部からの再生信号をディスクドライブ部からの再生信号に切り替えることを忘れているような場合でも、自動的にＣＭ期間中に切り替え操作を行うことができるレコーダ装置を提供することが出来る。
【００２１】
上述の課題を解決するため、本発明に係るレコーダ装置におけるストリームの再生方法では、ディスクドライブ部と、前記ディスクドライブ部よりも高速な読出し及び／又は書込みが可能な記憶部とを備え、前記記憶部に、前記ディスクドライブ部に装填されるディスクを管理するための管理情報を記録する領域と、前記ディスクに記録するコンテンツと同一のコンテンツの少なくとも一部を記録する領域とを設けたレコーダ装置において、最初に前記記憶部からのストリームを再生し、次いでディスクドライブ部からのストリームを再生するストリームの再生方法であって、
前記記憶部からのストリームから前記ディスクドライブからのストリームへの切り替えは、前記ストリームのＣＭ期間中に行うことを特徴としている。
【００２２】
これによれば、フラッシュメモリ等の記憶部からの再生信号をディスクドライブ部からの再生信号に切り替えるに際して、シーンの切れ目を意識させることなくスムースに切り替えることができるストリームの切り替え方法を提供できる。
【００２３】
上述の課題を解決するために、本発明では、前記のレコーダ装置の各部として機能させるためのプログラムであることを特徴としており、更に、前記のプログラムを記憶したコンピュータ読み取り可能な記録媒体であることを特徴としている。
【００２４】
これによれば、上記の動作を行うプログラム、及び上記の動作を行うプログラムが記載された記録媒体を提供することができる。
【発明の効果】
【００２５】
以上に述べたとおり、本願の発明に係るレコーダ装置は、ディスクドライブ部と、前記ディスクドライブ部よりも高速な読出し及び／又は書込みが可能な記憶部とを備え、前記記憶部に、前記ディスクドライブ部に装填されるディスクを管理するための管理情報を記録する領域と、前記ディスクに記録するコンテンツと同一のコンテンツの少なくとも一部を記録する領域とを設け、記録されたコンテンツを再生する際に、先ず前記記憶部からのストリームを再生し、次いでディスクドライブ部からのストリームに切り替えて再生することを可能にしたレコーダ装置であって、前記記憶部からのストリームから前記ディスクドライブ部からのストリームへの切り替えは、コンテンツ中に含まれたＣＭ期間中に行うことを特徴としている。
【００２６】
更に、本発明に係るレコーダ装置に置けるストリームの再生方法では、ディスクドライブ部と、前記ディスクドライブ部よりも高速な読出し及び／又は書込みが可能な記憶部とを備え、前記記憶部に、前記ディスクドライブ部に装填されるディスクを管理するための管理情報を記録する領域と、前記ディスクに記録するコンテンツと同一のコンテンツの少なくとも一部を記録する領域とを設けたレコーダ装置において、最初に前記記憶部からのストリームを再生し、次いでディスクドライブ部からのストリームを再生するストリームの再生方法であって、前記記憶部からのストリームから前記ディスクドライブからのストリームへの切り替えは、前記ストリームのＣＭ期間中に行うことを特徴としている。
【００２７】
これによれば、使用者からのコンテンツ再生指示に対して、迅速なコンテンツの再生が可能であり、且つ、フラッシュメモリ等の記憶部からの再生信号をディスクドライブ部からの再生信号に切り替えるに際して、シーンの切れ目を意識させることなくスムースに切り替えることができるレコーダ装置を提供することができる。
【図面の簡単な説明】
【００２８】
【図１】本発明の実施形態に係るレコーダ装置の構成の概略を示す図である。
【図２】本発明の実施形態に係るレコーダ装置においてシステムバスを転送される信号の流れを概念的に示した図である。
【図３】ドライブ部の記憶部に記憶されたディスク情報の一例を示す図である。
【図４】記憶部からのストリームとディスクドライブ部からのストリームを切り替える第１のタイミングを説明するための図である。
【図５】記憶部からのストリームとディスクドライブ部からのストリームを切り替える第２のタイミングを説明するための図である。
【図６】ストリーム切り替えの動作を示すフローチャートである。
【図７】本発明の実施形態に係るレコーダ装置の要部構成を示すブロック図である。
【図８】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図９】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図１０】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図１１】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図１２】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図１３】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図１４】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１５】コンテンツの同期処理後の記憶部およびディスク１の状態を示す図である。
【図１６】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１７】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１８】領域１に記録されていたコンテンツ１およびコンテンツ２を削除した後に、新たにコンテンツ４を録画したときの記憶部およびディスク１の状態を示す図である。
【図１９】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図２０】コンテンツ１〜３を記録したディスク１が装填されている場合の各記憶部の状態を示す図である。
【図２１】マイディスクが装填されている場合において、再生時にコンテンツが読み出される媒体を模式的に示した図である。
【図２２】ドライブ部に光ディスクが装填されていない場合の各記憶部の状態を示す図である。
【図２３】マイディスクが装填されていない場合において、再生時にコンテンツが読み出される媒体を模式的に示した図である。
【図２４】マイディスクが装填されている場合において、コンテンツが編集される媒体を模式的に示した図である。
【図２５】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２６】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２７】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２８】表示装置におけるコンテンツおよびタイトルリストに記録されている情報の表示を概略的に示す図である。
【図２９】従来技術を示す図である。
【発明を実施するための形態】
【００２９】
本発明者等は、本件出願とは別に、書込み速度及び読出し速度が比較的に遅い光ディスク等よりなる第１の記録媒体と、第１の記録媒体に比較して高速な読出し／書込みが可能なフラッシュメモリ等よりなる第２の記録媒体とを有機的に連携させて制御することによって、光ディスクの使い勝手を向上させたレコーダ装置（録画生成装置）を提案している。
【００３０】
上記のレコーダ装置では、光ディスク等のディスクドライブ部に対して前記ディスクドライブ部と連携して機能するフラッシュメモリ等よりなる記録部を設けておいて、前記記録部に、特定の光ディスクをマイディスクとして登録・管理できるようにしておき、この特定の光ディスク（マイディスク）を光ディスクドライブ部に装填した場合に、或いは、装填してない場合にも、前記記録部と前記光ディスクドライブ部とを有機的に連携させることにより、光ディスク（マイディスク）を用いた録画操作、再生操作等の操作性を向上させるものである。
【００３１】
本発明の実施形態を説明する前に、図７〜図２８を参照して、本発明が最適に適用される上記のレコーダ装置の実施形態の概略を説明する。
【００３２】
なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００３３】
＜レコーダ装置１００の構成＞
本実施形態に係るレコーダ装置の構成について、図７を参照しつつ以下に説明する。図７は、レコーダ装置１００の要部構成を示すブロック図である。
【００３４】
図７に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００３５】
ドライブ部３００は、従来の光ディスクドライブ装置が備えている機能に加え、以下の機能を新規な機能を有している。すなわち、（１）ユーザにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００３６】
バックエンド部２００は、図７に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図７に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００３７】
ドライブ部３００は、図７に示すように、インターフェース部３１０、ドライブ制御部３２０、ディスクドライブ部３３０および記憶部３４０を備えている。また、図７に示すように、インターフェース部３１０、ドライブ制御部３２０、ディスクドライブ部３３０および記憶部３４０は、バスラインを介して互いに接続されている。
【００３８】
本明細書等では、記憶部３４０における各領域に対して対応付けられた光ディスク、すなわち自身の有するメディアＩＤが記憶部３４０に記録されている光ディスクを「マイディスク」と称する。
【００３９】
バックエンド部２００およびドライブ部３００の備える各部材について、以下に説明する。
【００４０】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４１】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４２】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４３】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００４４】
（バックエンド制御部２４０）
バックエンド制御部２４０は、レコーダ装置１００におけるコンテンツデータの記録および再生全般を制御する。
【００４５】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００４６】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００４７】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００４８】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００４９】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５０】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００５１】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００５２】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００５３】
なお、本実施形態では、インターフェース部２９０、３１０がＳＡＴＡである場合を例に挙げて説明する。
【００５４】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００５５】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００５６】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３４０に出力するようにしてもよい。なお、これは書き込み命令に限るものではなく、読み出し命令についても同様である。
【００５７】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００５８】
ディスクドライブ部３３０は、装填されている光ディスクからデータを読み出したり、光ディスク対してデータを書き込んだりするための光ピックアップ部などを備えている。
【００５９】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６０】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６１】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図８（ａ）および（ｂ）および図９（ａ）および（ｂ）を参照して説明する。レコーダ装置１００における事前設定は、記憶部３４０の初期化処理と、記憶部３４０に対する光ディスクの登録処理の２つに大別することができる。
【００６２】
＜記憶部３４０の初期化処理＞
記憶部３４０の初期化処理について、図８（ａ）および（ｂ）を参照しつつ説明する。図８（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００６３】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００６４】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図８（ａ）に示すような画像を表示することが好ましい。
【００６５】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００６６】
図８（ｂ）は、初期化処理後の記憶部３４０を示している。図８（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００６７】
管理領域は、図８（ｂ）に示すように、領域１〜領域ｎを管理するマイディスク管理領域と、マイディスク管理領域を管理するメモリ管理領域と、に分けることができる。
【００６８】
マイディスク管理領域には、領域１〜領域ｎの各領域を管理する管理情報が記録されている。図８（ｂ）では、便宜上、領域１を管理する管理情報の記録されている領域を「エントリ１」と称し、以下同様に領域２〜ｎを管理する管理情報の記録されている領域をエントリ２〜ｎと称する。
【００６９】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００７０】
「エントリ番号」は、いずれの領域を管理するのかを示す情報である。例えば、エントリ１は、領域１を管理する管理情報であるため、エントリ番号としては「１」を示す情報が記録されている。
【００７１】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００７２】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００７３】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００７４】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００７５】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００７６】
また、メモリ管理領域には、図８（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００７７】
なお、記憶部３４０を領域１〜領域ｎに仮想的に分割した時に生じる余りの領域を予備領域として活用するようにしてもよい。
【００７８】
＜光ディスクの登録処理＞
次に、記憶部３４０に対する光ディスクの登録処理について、図９（ａ）および（ｂ）を参照しつつ説明する。図９（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００７９】
光ディスクの登録処理とは、記憶部３４０において仮想的に分割されている各領域を管理するエントリに対して、光ディスクのメディアＩＤを記録する処理である。
【００８０】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００８１】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００８２】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００８３】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００８４】
なお、メディアＩＤをエントリに記録する際には、表示装置に図９（ａ）に示すような画像を表示するようにすることが好ましい。
【００８５】
図９（ｂ）は、メディアＩＤ「ａａａ」を有する光ディスクをエントリ１に記録した場合における光ディスクの登録後の記憶部３４０の状態を示している。
【００８６】
光ディスクのメディアＩＤをエントリ１に記録した場合、図９（ｂ）に示すように、光ディスクはエントリ１により管理される領域１に対して対応付けられることになる。
【００８７】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００８８】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００８９】
レコーダ装置１００におけるコンテンツ録画動作について、図１０（ａ）〜（ｃ）〜図１９（ａ）〜（ｃ）を参照して以下に説明する。なお、ここでは、コンテンツ録画動作として、予約録画処理を例に挙げて説明する。
【００９０】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００９１】
（予約登録処理）
まず、レコーダ装置１００における予約登録処理について、図１０（ａ）〜（ｃ）を参照しつつ以下に説明する。図１０（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【００９２】
予約登録処理とは、記憶部２８０および光ディスクに対して予約情報を登録する処理である。予約登録処理については、記憶部３４０の領域１に対応付けられたディスク１を装填している場合を例に挙げて説明する。
【００９３】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図１０（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【００９４】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図１０（ｂ））。このとき、ディスク１には、既にメディアＩＤは記録されているため、メディアＩＤについては記録しなくてもよい。
【００９５】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【００９６】
図１０（ｃ）には、記憶部３４０の領域１に対応付けられたディスク１を装填している場合に予約登録した際の表示装置に表示する画像の一例を示している。
【００９７】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図１１（ａ）および（ｂ）を参照しつつ以下に説明する。図１１（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【００９８】
コンテンツ１の録画が完了すると、図１１（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【００９９】
次に、コンテンツ１を記憶部３４０の領域１およびディスク１に記録した際の記憶部３４０および記憶部２８０の状態について図１２（ａ）〜（ｃ）を参照しつつ以下に説明する。図１２（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１００】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１０１】
図１２（ａ）には、記憶部３４０の領域１における仮想ディスクイメージを示している。図１２（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１０２】
続いて、図１２（ａ）において示した物理アドレスと仮想アドレスとの関連付けを実現するためのマップテーブルについて、図１２（ｂ）を参照しつつ説明する。
【０１０３】
マップテーブルは、記憶部３４０のマイディスク管理領域におけるマップ情報として記録されている。マップテーブルは、図１２（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１０４】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１０５】
マップテーブルは、コンテンツ１が領域１に記録されると共に内容が更新される。記憶部３４０の領域１が図１２（ａ）に示す状態である場合のマップテーブルを、図１２（ｂ）に示す。図１２（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１０６】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１０７】
なお、図１２（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１０８】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図１２（ｃ）を参照して説明する。なお、タイトル管理領域は、記憶部３４０において仮想的に分割されている領域の数だけ記憶部２８０に設けられている。
【０１０９】
タイトル管理テーブルには、図１２（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１１０】
図１２（ｂ）に示したマップテーブルを設定したときのタイトル管理テーブルの一例を、図１２（ｃ）に示している。このとき、タイトル１における残りダビング回数は、コンテンツ１をディスク１へ記録したため、残り１０回から１回減算されて「９」回となっている。
【０１１１】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図１３（ａ）および（ｂ）を参照しつつ以下に説明する。図１３（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１１２】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１１３】
コンテンツ２の録画が終了すると、図１３（ｂ）に示すように、バックエンド制御部２４０は記憶部２８０における予約情報管理領域からコンテンツ２の予約録画を示す予約情報を消去する。
【０１１４】
次に、コンテンツ２を記憶部３４０の領域１に記録した際の記憶部３４０および記憶部２８０の状態について図１４（ａ）〜（ｃ）を参照しつつ以下に説明する。図１４（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１１５】
図１４（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１１６】
コンテンツ２が領域１に記録されると共に、記憶部３４０のエントリ１におけるマップ情報に記録されているマップテーブルも更新される。記憶部３４０の領域１が図１４（ａ）に示す状態のマップテーブルを、図１４（ｂ）に示す。図１４（ｂ）に示すように、図１２（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１１７】
また、図１４（ｃ）には、図１４（ｂ）に示したマップテーブルが設定されたときのタイトル管理テーブルの一例を示している。図１４（ｃ）に示すように、タイトル管理テーブルでは、図１２（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１１８】
（コンテンツの同期処理）
次に、記憶部３４０に記録されたコンテンツであってマイディスクに対して記録されていないコンテンツを、マイディスクに対して記録する同期処理について、図１５〜図１７（ａ）〜（ｃ）を参照して以下に説明する。
【０１１９】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１５）。すなわち、コンテンツ２は同期状態となる。
【０１２０】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１２１】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１５）。なお、図１５は、コンテンツの同期処理後の記憶部３４０およびディスク１の状態を示す図である。
【０１２２】
次に、記憶部３４０の領域１に記録されているコンテンツ２をディスク１に書き出した際の記憶部３４０および記憶部２８０の状態について図１６（ａ）〜（ｃ）を参照しつつ以下に説明する。図１６（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１２３】
図１６（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１２４】
コンテンツ２の同期処理が完了すると、図１６（ｂ）に示すように、エントリ１のマップ情報に記録されているマップテーブルの同期フラグが、コンテンツがマイディスクに記録されていることを表す「１」となる。また、図１６（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１２５】
次に、ディスク１において「０ｘ２５０」を先頭アドレスとするコンテンツ（コンテンツ３）が既に記録されている場合のコンテンツ２の同期処理について、図１７（ａ）〜（ｄ）を参照して以下に説明する。
【０１２６】
図１７（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１２７】
図１７（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１２８】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１２９】
このとき、領域１のマップテーブルについても、図１７（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１３０】
同様に、図１７（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１３１】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１３２】
図１８は、領域１に記録されていたコンテンツ１およびコンテンツ２を削除した後に、新たにコンテンツ４を録画したときの記憶部３４０およびディスク１の状態を示す図である。なお、図１８は、マイディスクが装填されている状態での録画のため、コンテンツ４はディスク１に対しても記録されている。
【０１３３】
図１８に示す状態、すなわちコンテンツ１およびコンテンツ２を領域１から削除した後に領域１にコンテンツ４を記録したときの記憶部３４０および記憶部２８０の状態について図１９（ａ）〜（ｃ）を参照しつつ以下に説明する。図１９（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１３４】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１９（ａ）に示すように、コンテンツ１およびコンテンツ２は、仮想ディスクイメージ上においては消去されることなく残されている。すなわち、図１９（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１３５】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１３６】
また、図１９（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１３７】
＜コンテンツ再生動作＞
次に、レコーダ装置１００におけるコンテンツの再生動作について、図２０〜図２３を参照しつつ以下に説明する。
【０１３８】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１３９】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１４０】
（マイディスクが装填されている場合の再生処理）
マイディスクが装填されている場合の再生処理について、図２０および図２１を参照して以下に説明する。図２０は、コンテンツ１〜３を記録したディスク１が装填されている場合の記憶部３４０および記憶部２８０の状態を示す図である。図２１は、マイディスクが装填されている場合において、再生時にコンテンツが読み出される媒体を模式的に示した図である。
【０１４１】
図２０に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図２０では、タイトル管理テーブルの詳細については省略して示している。
【０１４２】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１４３】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１４４】
領域１からコンテンツ１を読み出したドライブ制御部３２０は、読み出したコンテンツ１を、インターフェース部３１０を介してバックエンド部２００に出力する。
【０１４５】
このように、読み出しの対象となるコンテンツがマイディスクにも記憶部３４０にも記録されている場合、図２１に示すように、コンテンツは記憶部３４０から読み出される。
【０１４６】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１４７】
ディスク１からコンテンツ３が読み出されると、ドライブ制御部３２０は、読み出したコンテンツ３を、インターフェース部３１０を介してバックエンド部２００に出力する。
【０１４８】
このように、読み出しの対象となるコンテンツが記憶部３４０に記録されていない場合、図２１に示すように、コンテンツはマイディスクから読み出される。
【０１４９】
（マイディスクが装填されていない場合の再生処理）
続いて、マイディスクが装填されていない場合の再生処理について、図２２および図２３を参照して以下に説明する。図２２は、ドライブ部３００に光ディスクが装填されていない場合の記憶部３４０および記憶部２８０の状態を示す図である。図２３は、マイディスクが装填されていない場合において、再生時にコンテンツが読み出される媒体を模式的に示した図である。
【０１５０】
図２２に示すように、記憶部３４０の領域１には、コンテンツ１およびコンテンツ２が記録されている。しかし、図２０の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図２２では、図２０と同様に、タイトル管理テーブルの詳細については省略して示している。
【０１５１】
図２２に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１５２】
すなわち、図２３に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１５３】
なお、図２３に示すコンテンツ１の読み出し処理は、マイディスクが装填されている場合におけるコンテンツ１の読み出し処理と同様であるため、ここでは説明を省略する。
【０１５４】
＜コンテンツ編集動作＞
次に、レコーダ装置１００におけるコンテンツの編集動作について、図２４および図２５（ａ）および（ｂ）を参照しつつ以下に説明する。
【０１５５】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１５６】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１５７】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１５８】
（マイディスクが装填されている場合の編集処理）
マイディスクが装填されている場合の編集処理について、図２０および図２４を参照して以下に説明する。図２４は、マイディスクが装填されている場合において、コンテンツが編集される媒体を模式的に示した図である。
【０１５９】
図２０に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図２０では、タイトル管理テーブルの詳細については省略して示している。
【０１６０】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１６１】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１６２】
このように、データを変更する対象となるコンテンツがマイディスクにも記憶部３４０にも記録されている場合、図２４に示すように、記憶部３４０に記録されているコンテンツのデータが変更されることになる。
【０１６３】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１６４】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１６５】
（マイディスクが装填されていない場合の編集処理）
続いて、マイディスクが装填されていない場合のコンテンツの編集処理について、図２２および図２５（ａ）および（ｂ）を参照して以下に説明する。図２５（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１６６】
図２２に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１６７】
すなわち、図２５（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１６８】
＜コンテンツコピー動作＞
次に、レコーダ装置１００におけるコンテンツのコピー動作について、図２６（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２６（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１６９】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１７０】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２６（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１７１】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２６（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１７２】
なお、図２６（ａ）に示すように、ディスク２はドライブ部３００に装填されていないため、領域２に記録されているコンテンツ２の同期状態は、未同期を表す情報である。
【０１７３】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１７４】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１７５】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１７６】
ここで、光ディスクのファイルシステムを利用したデータ管理について、図２７（ａ）〜（ｃ）を参照しつつ以下に説明する。図２７（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１７７】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１７８】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２７（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１７９】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１８０】
なお、図２７（ａ）には、ディスク１に関するファイルシステムについてのみ示しているが、記憶部２８０のファイルシステム管理領域には、マイディスクとして登録されているディスクの数だけファイルシステムが記録されている。
【０１８１】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１８２】
さらに、図２７（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１８３】
このように、記憶部３４０に記録されているマップ情報は、本実施形態ではコンテンツごとの配置情報として示しているが、より正確には、図２７（ｃ）に示すように、領域（ファイル）ごとの配置情報を示すものである。
【０１８４】
また、マイディスクの登録解除の際には、ファイルシステム管理領域に記録されているファイルシステムについても、タイトル管理情報と併せて削除される。
【０１８５】
＜表示装置における表示例＞
最後に、レコーダ装置１００に接続された表示装置におけるコンテンツとタイトルリストに記録されている情報との表示例について、図２８を参照しつつ以下に説明する。図２８は、表示装置５００上でのコンテンツおよびタイトルリストに記録されている情報の表示を概略的に示す図である。
【０１８６】
操作入力部を介してユーザーがタイトルリストの表示をレコーダ装置１００に対して指示すると、表示装置５００では、タイトルリストおよびコンテンツが図２８に示すように表示される。
【０１８７】
すなわち、図２８に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１８８】
タイトルリスト表示部５２０には、図２８に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１８９】
図２８では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１９０】
次に、本発明に従った実施形態を図１から図６を用いて説明する。なお、以下の説明では、本発明を実施するために好ましい種々の限定が付されているが、本発明の技術的範囲は以下の実施の形態及び図面に限定されるものではない。
【０１９１】
本発明では、記憶部３４０からのコンテンツのストリームをディスクドライブ部３３０からのコンテンツのストリームに、シーンの切れ目を意識させることなくスムースに切り替えることができるレコーダ装置を提供する。
【０１９２】
図１は、本発明の実施形態を説明するためのレコーダ装置の概要を示す図であり、基本的には図７で説明したレコーダ装置と同様な構成となっている。また、図１において、図７と同じ部分については、同じ番号を付与しているので、これら同じ部分についての詳細な説明は省略する。図１では、図７に示したレコーダ装置１００に対して、バックエンド部２００において、システムバス２０１に接続されたＣＭ検出部２０２が追加されており、更に、バックエンド制御部２４０に接続されたリモコン受光部２０３、リモコン２０４が明記されている。
【０１９３】
図２は、本願発明の理解を容易にするための図であり、図１に示したレコーダ装置１００において、インターフェース部３１０、インターフェース部２９０を介して、ドライブ部３００からバックエンド部２００に転送された信号（コンテンツ）が、システムバス２０１上を転送され、画像処理部２７０を経て出力されるまでの流れを概念的に示した図である。図２において、図１と同様、図７と同じ部分については同一の番号を付与しており、これらの部分についての詳細な説明は省略する。
【０１９４】
図２中には、バックエンド部２００において、デコーダ部２６０からの信号（コンテンツ）を受けてＣＭ期間を検出するＣＭ検出部２０２が示されており、更に、記憶部３４０からのストリーム１０とディスクドライブ部３３０からのストリーム２０を切り替えるスイッチ（ＳＷ）２０５が示されている。スイッチ２０５は、ＣＭ検出部２０２からの出力によって動作するように構成しても良いし、バックエンド制御部２４０からの指示によって動作するように構成しても良い。なお、図２において、ドライブ制御部３２０、バックエンド制御部２４０は、ドライブ部３００、バックエンド部２００の各部を夫々制御しているが、図面が複雑になることを避けるため、図２では、制御信号を供給するための配線を一部省略して記載している。
【０１９５】
図３は、図１、図２中のドライブ部３００に設けられたフラッシュメモリ等より構成される記憶部３４０に登録される情報を例示した図であり、複数のディスク１〜ディスクｎまでをマイディスクとして登録した様子を模式的に示している。この実施例においては、記憶部３４０には、タイトルに関する情報、ストリーム（コンテンツ自体）の外、「ＣＭ切り替わり情報」が記憶されている。
【０１９６】
既に説明したとおり、記憶部３４０の容量の制限により、コンテンツ自体のストリームの全てを記憶しておくことは困難であるため、ストリームの先頭部分から一定の容量分だけを記憶しておく。ＣＭは、例えば、テレビ放送を録画した場合等にコンテンツと一緒に記憶されることになるが、「ＣＭ切り替わり情報」は、そのようなコンテンツが録画された場合に記憶部３４０において記憶されることになる。
【０１９７】
ＣＭ切り替わり箇所の検出には、音声の切り替わり、シーンチェンジの検出等、既に知られている方法を用いることができる。ＣＭ検出部２０２によって、記録したコンテンツのストリームを予め解析して、このＣＭの切り替わりに関する情報を登録しておいても良いし、また、各ディスクに対して同期動作を行った際等にＣＭ検出部２０２によってストリームを解析してＣＭの切り替わりに関する情報を登録しておいても良い。
【０１９８】
図４、図５は、本発明に従った「記憶部３４０に記憶されたコンテンツのストリーム１０」と、「ディスクドライブ部３３０側に記憶された、前記記憶部３４０に記憶されたものと同一のコンテンツのストリーム２０」との切り替えのタイミングを説明するための図であり、図６は、前記ストリーム切り替え動作のフローチャートである。
【０１９９】
以下に、図２、図３、図４、図５を用いて本発明の実施形態に従ったシーンの切れ目を意識させることなくスムースにストリームを切り替えることができるレコーダ装置の切り替え動作について説明する。
【０２００】
本実施形態では、予め記憶部３４０に図３に示したとおりの「ＣＭ切り替わり情報」を追加登録しておく。この場合、使用者がマイディスク１をディスクドライブ部３３０に装填していない場合でも、マイディスク１に記憶されたコンテンツを以下のようにして再生することができるので、最初にこの場合について以下に説明する。
【０２０１】
使用者は、記憶部３４０を参照することにより、記憶部３４０に登録されているディスク１〜ディスクｎに関する情報、例えば、各ディスクに記憶されているコンテンツのタイトル等の情報を表示装置の表示画面上に表示させることが出来るので、この情報を基に好みのタイトルを選んで再生開始の指示を行う。使用者からの指示は、リモコン２０４によって行う。
【０２０２】
図２において、使用者がリモコン２０４を操作して、再生開始の指示を出すと、記憶部３４０に記憶されたタイトル１のコンテンツがストリーム１０として読み出され、インターフェース３１０、インターフェース２９０、デコーダ２６０を介し、更に、スイッチ２０５を介して表示画面上に表示されるが、同時に、表示画面上に「最後まで観賞する場合にはディスク１を挿入して下さい。」等の表示を行わせる。ディスク１がディスクドライブ部３３０に装填されて、ディスク１からのストリーム２０が再生可能になるまでは、記憶部３４０からのストリーム１０の再生を継続する。この間に、使用者は該当のディスク１をディスクドライブ部３３０に装填する。
【０２０３】
タイトル１のストリームがテレビ番組を録画したものであると、ストリーム中にＣＭが入ってくる場合があるが、この場合、使用者は、早送りキーや、数秒間のスキップキーの操作を行うことが多い。その時点で、ディスクドライブ部３３０にディスク１が装填されており、更に、ディスク１からのストリームを再生可能である場合、前記の早送りキーや、数秒間のスキップキーの操作に応じて、バックエンド制御部２４０は、スイッチ２０５によって記憶部３４０からのストリーム１０の再生をディスクドライブ部３３０からのストリーム２０の再生に切り替える。
【０２０４】
図４は、この時の状態を示している。使用者がリモコン２０４を操作して早送りキー操作が行われると、バックエンド制御部２４０は、スイッチ２０５を操作して、記憶部３４０からのストリーム１０からディスクドライブ部３３０からのストリーム２０に切り替える。このようにＣＭ期間中にストリームを切り替えることで、シーンの切れ目を意識させることなくコンテンツをスムースに連続して再生することが可能となる。
【０２０５】
次に、ＣＭが入っていても使用者が何も操作しなかった場合について説明する。図５はこの場合の状態を示している。この場合、バックエンド制御部２４０は、再生中のＣＭが記憶部３４０中に記憶されている最後のＣＭであるか否かを判断し、最後のＣＭでない場合には、そのまま記憶部３４０の再生を継続する。即ち、バックエンド制御部２４０は、記憶部３４０に記憶された「ＣＭ切り替わり情報」（図３参照）を参照して、最後のＣＭか否かを判断する。最後のＣＭであるときには、使用者による操作が無い場合でも、最後のＣＭ期間中にバックエンド制御部２４０がスイッチ２０５を操作してストリーム１０からストリーム２０に切り替える。
【０２０６】
マイディスクとして登録されたディスク１（図３参照）をディスクドライブ部３３０に装填して、ディスク１に記録されたコンテンツを再生する場合でも同様の動作を行わせることが可能である。以下にこの場合の動作を説明する。
【０２０７】
ディスク１をディスクドライブ部３３０に挿入してディスク１に録画されている番組等を視聴する場合、ドライブ制御部３２０は、装填されたディスクのＩＤを読み取り、このＩＤを用いて記憶部３４０にあるディスク１用領域にアクセスし、タイトルに関する情報等必要な情報を読み出し、これをバックエンド部２００側に送る。バックエンド部２００側では、この情報を受けてタイトル等の情報を表示装置の表示画面上に表示するので、使用者は、その情報を見ながら再生しようとするタイトルを選択する。これまでの操作に要する時間は、記憶部３４０の読出しが高速で可能であるため、極めて短時間である。
【０２０８】
特定のタイトル１が選択されると、先ず、記憶部３４０から選択されたタイトル１のコンテンツが読み出されるので、使用者は、極めて短時間の内に選択したタイトル１を楽しむことが出来る。
【０２０９】
タイトル１のコンテンツがテレビ番組を録画したものであると、このコンテンツの再生信号中にＣＭが入ってくる場合がある。この場合、使用者は、早送りキーや、数秒間のスキップキーの操作を行うことが多い。その時点で、ディスクドライブ部３３０が立ち上がっていてディスク１からのストリームを再生可能である場合、前記の早送りキーや、数秒間のスキップキーの操作に応じて、バックエンド制御部２４０は、スイッチ２０５を操作して、記憶部３４０からのストリーム１０の再生をディスクドライブ部３３０からのストリーム２０の再生に切り替える。
【０２１０】
以上の説明では、ＣＭ期間に関する情報が既に記憶部３４０に登録されている場合を想定して説明したが、ＣＭ検出部２０２で自動的にＣＭ期間を検出し、それによってストリームを切り替えるように構成しても良い。即ち、記憶部３４０からのストリーム１０を再生中に、ＣＭ検出部２０２がストリーム１０中にＣＭを検出した場合、その時点で、既にディスクドライブ部３３０が立ち上がっていて、ディスクからのストリームの再生が可能である場合、ＣＭ検出部２０２からのＣＭ検出信号に応じてスイッチ２０５を動作させても良い。ＣＭ期間に関する情報が記憶部３４０に登録されていない場合、レコーダ装置１００では、最後のＣＭか否か判定できないため、この場合は、使用者の操作があるときにのみストリームの切り替えを行うことができる。
【０２１１】
図６は、ストリーム切り替え動作のフローチャートである。記憶部３４０内に記憶されたコンテンツの再生が開始されると（Ｓｔ．１）、ＣＭ判定範囲内か否かが判定され（Ｓｔ．２）、ＣＭ判定範囲内であるときは、更に、使用者（ユーザー）からのスキップ操作がないかが判定され（Ｓｔ．４）、スキップ操作があった場合には、記憶部３４０からのストリームをディスクドライブ部３３０側からのストリームに切り替えて再生する（Ｓｔ．６）。なお、「ＣＭ判定範囲内であるか否か」とは、「ＣＭ期間であると判定された期間であるか否か」を意味している。
【０２１２】
Ｓｔ．３において、ＣＭ判定期間内でないときは、記憶部３４０内に記憶されたコンテンツのストリームの再生が継続される。また、Ｓｔ．４において、使用者（ユーザー）からのスキップ操作が無かった場合には、Ｓｔ．５において、記憶部３４０内に記憶されているコンテンツのストリーム中における「最後のＣＭ」であるか否かが判定され、「最後のＣＭ」であるとの判定の場合には、記憶部３４０からのストリーム１０を、ディスクドライブ部３３０側からのストリーム２０に切り替えて再生する（Ｓｔ．６）。また、最後のＣＭではないと判断されたときは、最後のＣＭであると判定されるまで記憶部３４０内記憶されたコンテンツのストリームの再生を継続する。
【０２１３】
なお、以上の説明では、ドライブ部３００側にドライブ制御部３２０が設けられており、ドライブ部内の制御を司るように説明したが、ドライブ部３００をバックエンド部２００と一体構成にして共通のシステムバスに繋ぎ、全てを司る１つの制御部を設けても良い。
【０２１４】
（プログラム、記録媒体）
最後に、レコーダ装置１００に含まれている各ブロックは、ハードウェアロジックによって構成すればよい。また、レコーダ装置１００の各ブロックは、次のように、ＣＰＵ（Ｃｅｎｔｒａｌ  Ｐｒｏｃｅｓｓｉｎｇ  Ｕｎｉｔ）を用いてソフトウェアによって実現してもよい。
【０２１５】
すなわち、レコーダ装置１００は、各機能を実現する制御プログラムのプログラムコード（実行形式プログラム、中間コードプログラム、ソースプログラム）をコンピュータで読み取り可能に記録していればよい。レコーダ装置１００（またはＣＰＵやＭＰＵ）が、それぞれ、供給された記録媒体に記録されている対応するプログラムコードを読み出し、実行すればよい。
【０２１６】
プログラムコードをレコーダ装置１００に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２１７】
また、レコーダ装置１００は、通信ネットワークと接続可能に構成しても、本発明の目的を達成できる。この場合、上記のプログラムコードを、通信ネットワークを介してレコーダ装置１００に供給する。この通信ネットワークは、レコーダ装置１００にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０２１８】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２１９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２０】
本発明によれば、書込み速度及び読出し速度が比較的に遅いディスクドライブ部と、前記ディスクドライブ部に比較して高速な読出し／書込みが可能なフラッシュメモリ等よりなる記録部とを有機的に連携させて制御することによって、光ディスク等の使い勝手を向上させたレコーダ装置（録画生成装置）における操作性・使用性を高めることが可能であり、産業上の利用可能性は極めて高い。
【符号の説明】
【０２２１】
１００  レコーダ装置
２００  バックエンド部
２０１  システムバス
２０２  ＣＭ検出部
２０３  リモコン受光部
２０４  リモコン
２１０  チューナー部
２２０  エンコーダ部
２３０  ストリーム処理部
２４０  バックエンド制御部
２５０  バッファ部
２６０  デコーダ部
２７０  画像処理部
２８０  記憶部
２９０  インターフェース部
３００  ドライブ部
３１０  インターフェース部
３２０  ドライブ制御部
３３０  ディスクドライブ部
３４０  記憶部
【図１】
2010238337.tif 000003
【図２】
2010238337.tif 000004
【図３】
2010238337.tif 000005
【図４】
2010238337.tif 000006
【図５】
2010238337.tif 000007
【図６】
2010238337.tif 000008
【図７】
2010238337.tif 000009
【図８】
2010238337.tif 000010
【図９】
2010238337.tif 000011
【図１０】
2010238337.tif 000012
【図１１】
2010238337.tif 000013
【図１２】
2010238337.tif 000014
【図１３】
2010238337.tif 000015
【図１４】
2010238337.tif 000016
【図１５】
2010238337.tif 000017
【図１６】
2010238337.tif 000018
【図１７】
2010238337.tif 000019
【図１８】
2010238337.tif 000020
【図１９】
2010238337.tif 000021
【図２０】
2010238337.tif 000022
【図２１】
2010238337.tif 000023
【図２２】
2010238337.tif 000024
【図２３】
2010238337.tif 000025
【図２４】
2010238337.tif 000026
【図２５】
2010238337.tif 000027
【図２６】
2010238337.tif 000028
【図２７】
2010238337.tif 000029
【図２８】
2010238337.tif 000030
【図２９】
2010238337.tif 000031